(57)【要約】    【課題】      セキュリティを保ちながら消費電力の低減を図ること。    【解決手段】  携帯端末装置１００は、キーユニット２００から送信された信号のパワーレベルを検出し、受信信号のパワーレベルが基準値より大きいときに、基準値とパワーレベルとの差分だけ、キーユニット２００へ返す認証信号の送信電パワーを下げる制御を行う。また、キーユニット２００は、携帯端末装置から送信された信号のパワーレベルを検出し、受信する信号のパワーに基づいて、携帯端末装置に送信する信号の送信タイミングを制御する。  【選択図】      図１
2007019766.tif 000002
【特許請求の範囲】
【請求項１】
無線通信ユニットとの間で無線信号を送受信して無線認証を行う無線認証手段と、
前記無線通信ユニットから送信される信号の受信レベルを検出する信号レベル検出手段と、
検出した前記信号レベルに基づいて前記無線通信ユニットに送信する信号の出力パワーを設定する出力パワー設定手段と、
設定された出力パワーにより信号を送出する制御を行う制御手段と
を備える携帯端末装置。
【請求項２】
無線通信ユニットとの間で無線信号を送受信して無線認証を行う無線認証手段と、
前記無線通信ユニットを制御する制御信号を生成する制御信号生成手段と、
生成した前記制御信号を前記無線通信ユニットに送信する認証信号に付加して送出する制御を行う制御手段と
を備える携帯端末装置。
【請求項３】
前記出力パワー設定手段は、検出した信号レベルと所定の基準値との差分を算出し、該差分に対応するパワー量を下げた出力パワーを設定する請求項１記載の携帯端末装置。
【請求項４】
前記制御信号は、送信信号の出力パワーを制御する制御実行の有無、及び／又は該出力パワー制御により設定された出力パワーの量を示す信号である請求項２記載の携帯端末装置。
【請求項５】
前記制御信号は、前記無線通信ユニットとの間の無線認証の周期の変更を指示する信号である請求項２記載の携帯端末装置。
【請求項６】
携帯端末装置との間で無線信号を送受信して無線認証を行う無線認証手段と、
前記携帯端末装置から送信される信号の受信レベルを検出する信号レベル検出手段と、
検出した前記信号レベルに基づいて前記携帯端末装置との間の無線認証のタイミングを設定する認証タイミング設定手段と、
設定された認証タイミングにより信号を送出する制御を行う制御手段と
を備える無線通信ユニット。
【請求項７】
前記無線認証のタイミングは、前記無線認証の周期である請求項６記載の無線通信ユニット。
【請求項８】
前記認証タイミング設定手段は、検出した信号レベルが大きくなるとき、認証周期を長くする請求項６記載の無線通信ユニット。
【請求項９】
無線通信ユニットとの間で無線信号を送受信して無線認証を行うステップと、
前記無線通信ユニットから送信される信号の受信レベルを検出するステップと、
検出した前記信号レベルに基づいて前記無線通信ユニットに送信する信号の出力パワーを設定するステップと、
設定された出力パワーにより信号を送出するステップと
を有する送信制御方法。
【請求項１０】
無線通信ユニットとの間で無線信号を送受信して無線認証を行うステップと、
前記無線通信ユニットを制御する制御信号を生成するステップと、
生成した前記制御信号を前記無線通信ユニットに送信する認証信号に付加して送出するステップと
を有する送信制御方法。
【請求項１１】
携帯端末装置との間で無線信号を送受信して無線認証を行うステップと、
前記携帯端末装置から送信される信号の受信レベルを検出するステップと、
検出した前記信号レベルに基づいて前記携帯端末装置との間の無線認証のタイミングを設定するステップと、
設定された認証タイミングにより信号を送出するステップと
を有する送信制御方法。
【請求項１２】
無線通信ユニットとの間で無線信号を送受信して無線認証を行うステップと、前記無線通信ユニットから送信される信号の受信レベルを検出するステップと、検出した前記信号レベルに基づいて前記無線通信ユニットに送信する信号の出力パワーを設定するステップと、設定された出力パワーにより信号を送出するステップとをコンピュータに実行させるためのプログラム。
【請求項１３】
無線通信ユニットとの間で無線信号を送受信して無線認証を行うステップと、前記無線通信ユニットを制御する制御信号を生成するステップと、生成した前記制御信号を前記無線通信ユニットに送信する認証信号に付加して送出するステップとをコンピュータに実行させるためのプログラム。
【請求項１４】
携帯端末装置との間で無線信号を送受信して無線認証を行うステップと、前記携帯端末装置から送信される信号の受信レベルを検出するステップと、検出した前記信号レベルに基づいて前記携帯端末装置との間の無線認証のタイミングを設定するステップと、設定された認証タイミングにより信号を送出するステップとをコンピュータに実行させるためのプログラム。
【発明の詳細な説明】
【技術分野】
【０００１】
本発明は、無線通信ユニットとの間で無線信号を送受信して無線認証を行う携帯電話機などの携帯端末装置、無線通信ユニット、送信制御方法及び送信制御プログラムに関する。
【背景技術】
【０００２】
従来、携帯電話機には、盗難等による所有者以外の者の無断使用を防止する対策として、使用制限機能が付加されている。一般に、この使用制限機能は、所有者によるＩＤ、すなわち、暗証番号によって使用制限を解除することにより、通話を可能にするものである。暗証番号による使用制限及びその解除は、キーボードによる操作が必要であり、電話の都度、制限及び解除操作を必要としている。通話後、使用制限を行わなかった場合、その携帯電話機が盗難に遭うと、無制限に通話が行われたり、個人情報を見られたりするおそれがある。
【０００３】
特許文献１には、置き忘れや盗難により携帯電話機などの機器が所有者又は使用者の手元から離れると機器そのものを使用不能にするとともに、機器が一定距離以上離れたことを警告する機器の使用制限装置が開示されている。
図１１は、無線認証通信を使用して携帯端末装置に使用制限をかける使用制限方法を説明する図である。
【０００４】
図１１に示すように、携帯電話機などの携帯端末装置１０がユーザ１の手元から離れ認証距離から外れると携帯端末装置１０を使用不能にするとともに、ユーザ１が所持する無線通信ユニット（以下、キーユニットと呼ぶ）２０が置き忘れ警報を鳴らす。具体的には、キーユニット２０と携帯端末装置１０内の使用制限解除ユニット間で無線信号を受信して無線認証を行うシステムにおいて、受信レベルが一定値以下になったことをそれぞれのユニットが検出すると、使用制限解除ユニットが使用制限解除信号の送り出しを停止することによって携帯端末装置１０の使用制限が行われ、キーユニット２０は警報信号を発する。これにより、置き忘れや盗難を防止することができる。
【０００５】
図１２は、図１１の携帯端末装置の使用制限方法を実現するブロック図である。
【０００６】
図１２において、携帯電話機／ＰＨＳ（Personal Handy-Phone System），ＰＤＡ（Personal Digital Assistants），ノート型ＰＣ，ＭＰ３プレーヤー，ＨＤＤプレーヤーなどの携帯端末装置１０と、携帯端末装置１０と相互に通信（ポーリング）をすることで距離が一定以上離れた場合、携帯端末装置１０を自動ロックし警報を鳴らすキーユニット２０とからなり、それぞれ相互に無線認証を行うための無線認証部１１，２１を備える。キーユニット２０は、電池２２により駆動される。
【０００７】
キーユニット２０の無線認証部２１と携帯端末装置１０の無線認証部１１とは、無線通信を利用して認証を行う。キーユニット２０の無線認証部２１と携帯端末装置１０の無線認証部１１は、予め関連付けされたＩＤを所有し無線通信により互いが１対であることを把握することで常時認証を行う。
【０００８】
図１３は、携帯端末装置１０とキーユニット２０の無線認証の動作を示す制御シーケンス図である。
【０００９】
図１３に示すように、キーユニット２０は定期的にサーチ信号を送信する。このサーチ信号を受信した携帯端末装置１０は、サーチ信号に含まれるキーユニット２０のＩＤと自己（携帯端末装置１０）の持つＩＤとを照合し、予め登録されている組み合わせのＩＤであれば応答信号を返す。キーユニット２０も応答信号に含まれる携帯端末装置のＩＤと自己（キーユニット２０）の持つＩＤとを照合する。互いに確認ができたあとは、乱数を暗号化したデータ（認証信号１）をキーユニット２０から送り、携帯端末装置１０からはそれを複合化したデータ（認証信号１’）を送ることで認証を行う。
【００１０】
携帯端末装置１０とキーユニット２０とが互いに認証されている間は問題なく携帯端末装置１０を操作することができる。認証が正常に行われなかった場合には、携帯端末装置１０の操作に制限がかかり、キーユニット２０は警報を発する。
【００１１】
図１４は、携帯端末装置１０とキーユニット２０の組み合わせを示す図である。キーユニット２０は、キー（鍵）の形状に模式化して示している。図１４（ａ）に示すように、携帯端末装置１０は、携帯電話機のほか、図１４（ｂ）に示すＰＤＡ、図１４（ｃ）に示すノート型ＰＣなどに適用することができる。
【特許文献１】特開平１１−８８４９９号公報
【発明の開示】
【発明が解決しようとする課題】
【００１２】
しかしながら、このような従来の無線認証を行う携帯端末装置にあっては、携帯端末装置と無線通信ユニットとの認証動作を常時行う構成であったため、無線信号の送受信が常時繰り返されることにより消費電力の増大を招く。例えば、図１２に示す携帯端末装置１０の無線認証部１１とキーユニット２０の無線認証部２１とは、微弱無線周波数帯を使って低消費電力で双方向無線通信を行う通信モジュールにより構成される。それでも認証動作を常時行うことで消費電力の増大は免れない。
【００１３】
本発明は、かかる点に鑑みてなされたものであり、セキュリティを保ちながら消費電力の低減を図ることができる携帯端末装置、無線通信ユニット、送信制御方法及び送信制御プログラムを提供することを目的とする。
【課題を解決するための手段】
【００１４】
本発明の携帯端末装置は、無線通信ユニットとの間で無線信号を送受信して無線認証を行う無線認証手段と、前記無線通信ユニットから送信される信号の受信レベルを検出する信号レベル検出手段と、検出した前記信号レベルに基づいて前記無線通信ユニットに送信する信号の出力パワーを設定する出力パワー設定手段と、設定された出力パワーにより信号を送出する制御を行う制御手段とを備える構成を採る。
【００１５】
本発明の携帯端末装置は、無線通信ユニットとの間で無線信号を送受信して無線認証を行う無線認証手段と、前記無線通信ユニットを制御する制御信号を生成する制御信号生成手段と、生成した前記制御信号を前記無線通信ユニットに送信する認証信号に付加して送出する制御を行う制御手段とを備える構成を採る。
【００１６】
本発明の無線通信ユニットは、携帯端末装置との間で無線信号を送受信して無線認証を行う無線認証手段と、前記携帯端末装置から送信される信号の受信レベルを検出する信号レベル検出手段と、検出した前記信号レベルに基づいて前記携帯端末装置との間の無線認証のタイミングを設定する認証タイミング設定手段と、設定された認証タイミングにより信号を送出する制御を行う制御手段とを備える構成を採る。
【００１７】
本発明の送信制御方法は、無線通信ユニットとの間で無線信号を送受信して無線認証を行うステップと、前記無線通信ユニットを制御する制御信号を生成するステップと、生成した前記制御信号を前記無線通信ユニットに送信する認証信号に付加して送出するステップとを有する。
【００１８】
本発明の送信制御方法は、携帯端末装置との間で無線信号を送受信して無線認証を行うステップと、前記携帯端末装置から送信される信号の受信レベルを検出するステップと、検出した前記信号レベルに基づいて前記携帯端末装置との間の無線認証のタイミングを設定するステップと、設定された認証タイミングにより信号を送出するステップとを有する。
【００１９】
また、別の観点から、本発明は、無線通信ユニットとの間で無線信号を送受信して無線認証を行うステップと、前記無線通信ユニットから送信される信号の受信レベルを検出するステップと、検出した前記信号レベルに基づいて前記無線通信ユニットに送信する信号の出力パワーを設定するステップと、設定された出力パワーにより信号を送出するステップとをコンピュータに実行させるためのプログラムである。
【発明の効果】
【００２０】
本発明によれば、セキュリティを保ちながら消費電力の低減を図ることができる。
【発明を実施するための最良の形態】
【００２１】
以下、本発明の実施の形態について図面を参照して詳細に説明する。
【００２２】
（実施の形態１）
図１は、本発明の実施の形態１に係る認証制御方法を用いる携帯端末装置の構成を示すブロック図である。本実施の形態は携帯端末装置に携帯電話機を適用した例である。
【００２３】
図１において、１００は無線認証を行う携帯電話機（携帯端末装置）、２００は携帯端末装置１００と認証のための双方向無線通信を行うキーユニット（無線通信ユニット）である。
【００２４】
携帯電話機（携帯端末装置）１００は、キーユニット２００と無線認証を行い、認証不成立時、使用制限信号を出力する無線認証部１１０と、アンテナ１４１を有する無線通信・データ処理部１４２とを備える。
【００２５】
無線認証部１１０は、キーユニット２００と無線通信を行うためのアンテナ１１１、ＩＤなどを送受信する送受信部１１２、認証を行うためのＩＤを記憶する認証用ＩＤ記憶部１１３、記憶ＩＤと受信ＩＤ照合を行う無線認証制御部１１４を備えて構成される。
【００２６】
送受信部１１２は、送信部１２４と受信部１３４からなり、送信部１２４は、データを変調する変調部１２１、変調信号を増幅する増幅部１２２及び送信信号の電力を制御する電力制御部１２３を備え、受信部１３４は、受信信号を復調する復調部１３１、受信信号を増幅する増幅部１３２及び受信信号の電力を測定する電力測定部１３３を備える。
【００２７】
電力制御部１２３は、送信信号の電力を制御する。特に、基準値と電力測定部１３３からの測定値の差分を取り、この差分だけ出力パワーを下げるように増幅部１２２を制御する。
【００２８】
また、無線通信・データ処理部１４２は、携帯端末装置１００のキャリア通信部とデータ処理部である。本実施の形態は、携帯端末装置１００を携帯電話機に適用した例であるため、携帯電話機本体の通信機能を示しているが、携帯端末装置１００が、ＰＤＡ，ノート型ＰＣ，ＭＰ３プレーヤー，ＨＤＤプレーヤーなどである場合はこの部分はこれら携帯機器の本体機能部となる。無線認証部１１０からの使用制限解除信号の受信により本体機能が使用可能となり、使用制限解除信号を受信しないか又は使用制限信号を受信したとき本体機能の一部又は全部の使用が制限される。
【００２９】
なお、図示は省略するが、携帯端末装置１００は、さらに外部出力部としてＬＣＤ表示部、ＬＥＤ発光部、スピーカ、バイブレータ、ＰＣＭコーディックを用いた音声合成出力部などを備える。
【００３０】
一方、キーユニット２００は、携帯端末装置１００の無線認証部１１０と無線通信を行うためのアンテナ２１１、無線認証部２１２、警報通知部２１３、及び各部に電源を供給する電池２１４を備えて構成される。また、無線認証部２１２は、ＩＤなどを送受信する送受信部２２１、認証を行うためのＩＤを記憶する認証用ＩＤ記憶部２２２、及び記憶ＩＤと受信ＩＤ照合を行う無線認証ユニット制御部２２３を備えて構成される。
【００３１】
キーユニット２００の無線認証部２１２と携帯端末装置１００の無線認証部１１０とは、例えば３００ＭＨｚ帯の微弱無線周波数帯を使って低消費電力で双方向無線通信を行う通信モジュールにより構成される。
【００３２】
以下、上述のように構成された携帯端末装置の送信パワー制御動作について説明する。
【００３３】
携帯端末装置１００とキーユニット２００が認証状態にあり、両者の距離を近づけたとすると、キーユニット２００から携帯端末装置１００の無線認証部１１０内にある受信部１３４に入力される認証信号のパワーレベルは大きくなる。
【００３４】
この認証信号のパワーレベルは、電力測定部１３３で測定され、無線認証制御部１１４及び電力制御部１２３に伝えられる。電力制御部１２３では、受信電力と所定の基準値とを比較し、差分を計算する。キーユニット２００へ返す認証信号の送信電パワーレベルはこの差分だけ小さくして送信する。ここでは、機能を明確にするため、新たに電力制御部１２３を設けたが、無線認証制御部１１４がこの機能を備え、一つの制御部としても良い。
【００３５】
図２は、無線認証部１１０における送信パワー制御動作を示すフローチャートであり、図中Ｓはフローの各ステップを示す。
【００３６】
まず、ステップＳ１で送受信部１１２の受信部１３４はキーユニット２００からの認証信号を受信し、ステップＳ２で受信した認証信号の受信パワーを測定する。次いで、ステップＳ３で受信した信号のレベル（強度）が基準値より大きいか否かを判別し、ステップＳ４で受信レベルが基準値より大きい場合は、ステップＳ４で受信した信号のレベルと基準値との差分を測定する。次いで、ステップＳ５で測定した差分に相当する出力パワーを下げる設定を行ってステップＳ６に進む。受信レベルが基準値以下の場合は、そのままステップＳ６に進む。ステップＳ６では、設定された出力パワーにより認証信号を送信して本フローを終了する。
【００３７】
以上のように、携帯端末装置１００は、キーユニット２００から受ける信号のパワーレベルによって遠近を判断し、近い場合には必要以上の電力は送らないようにすることで消費電力の低減を図る。
【００３８】
次に、図３を参照して、携帯電話機（携帯端末装置）１００とキーユニット（無線通信ユニット）２００との受信信号パワーによる送信パワー制御の具体的動作について説明する。
【００３９】
図３は、キーユニットと携帯端末装置との距離における送信パワーレベルの設定方法を説明する図である。
【００４０】
キーユニット２００が、Ａ地点、携帯端末装置１００がＣ地点にあり、互いに無線認証が行われるとする。無線通信端末１００から送信された信号のパワーレベルを点ａ、携帯端末装置１００から送信された信号のパワーレベルを点ｂとすると、各々受信している信号のパワーレベルは、図３の一点鎖線に示すように点ｃ、点ｄとなっている。
【００４１】
ここで、携帯端末装置１００がＣ地点からＢ地点に移動したとすると、携帯端末装置１００の受信パワーレベルは点ｅとなる。キーユニット２００と携帯端末装置１００との距離がこのように近づいた場合、受信パワーレベルが十分大きいときには、携帯端末装置１００はキーユニット２００に送信する信号の送信パワーを下げることが可能になる。携帯端末装置１００がＢ地点に移動した場合には、受信パワーレベルが大きいので携帯端末装置１００は、Ｃ地点での送信パワーレベル点ｂと同等のパワーレベルで送信する必要がなく、図３の送信パワーレベル点ｆに示すように、受信パワーレベルと基準レベルとの差分から算出される分だけ、出力パワーを下げて送信する。
【００４２】
出力パワーを下げて送信された信号をキーユニット２００が受信したとき、キーユニット２００が受信するパワーレベルは点ｇとなり、携帯通信端末１００の送信パワーを下げても十分なパワーで受信できることがわかる。
【００４３】
以上のように、実施の形態１によれば、キーユニット２００から送信された信号のパワーレベルを検出し、受信信号のパワーレベルが基準値より大きいときに、基準値とパワーレベルとの差分だけ、キーユニット２００へ返す認証信号の送信電パワーを下げる制御を行うので、携帯端末装置１００とキーユニット２００とが近くで認証している場合など、受信レベルが大きいときは出力パワーを下げることができ、消費電力の低減を図ることができる。また、出力レベルの変更だけであるためセキュリティレベルを保ったまま、省電力化を図ることができる。携帯端末装置１００とキーユニット２００との間の無線認証は、繰り返し継続して行われるため、小なりといえども出力レベルの低減による省電力効果は大きい。
【００４４】
また、キーユニット２００側の構成及び認証制御に変更はないため、キーユニットの構成を変更しない又は変更できない場合などに用いて好適である。
【００４５】
本実施の形態では、受信パワーレベルが基準値よりも大きいときのみ行うようにしているが、検出した受信パワーレベルに基づいてキーユニット２００に送信する信号の出力パワーを設定するものであればどのような出力パワー設定態様でもよい。また、セキュリティモードなど、セキュリティ重視の場合には、本送信制御動作を行わないことも可能である。
【００４６】
（実施の形態２）
実施の形態１は、携帯端末装置側において、受信している信号のパワーが所定の値より大きいときに、所定のパワーとの差分だけ出力パワーを下げる制御方法である。実施の形態２は、キーユニット側において、受信する信号のパワーにより、キーユニットから携帯端末装置に認証信号を送信するタイミングを制御する例である。
【００４７】
図４は、本発明の実施の形態２に係る送信制御方法を用いる無線通信ユニットの構成を示すブロック図である。図１と同一構成部分には同一符号を付して重複箇所の説明を省略する。また、本実施の形態は、キーユニット側のタイミング制御に特徴があるため、キーユニットの構成のみを示した。携帯端末装置には変更がないため従来の携帯端末装置をそのまま使用することができる。
【００４８】
図４において、キーユニット３００は、携帯端末装置と無線通信を行うためのアンテナ２１１、無線認証部３１０、警報通知部２１３、及び各部に電源を供給する電池２１４を備えて構成される。また、無線認証部３１０は、ＩＤなどを送受信する送受信部３２０、認証を行うためのＩＤを記憶する認証用ＩＤ記憶部２２２、記憶ＩＤと受信ＩＤ照合を行う制御部３５０を備えて構成される。
【００４９】
送受信部３２０は、送信部３２３と受信部３４４からなり、送信部３２３は、データを変調する変調部３２１及び変調信号を増幅する増幅部３２２を備え、受信部３４４は、受信信号を復調する復調部３４１、受信信号を増幅する増幅部３４２及び受信信号の電力を測定する電力測定部３４３を備える。
【００５０】
制御部３５０は、送信タイミング制御部３５１を備える。送信タイミング制御部３５１は、電力測定部３４３による測定値を基に送信信号の送信タイミングを長くしたり、元に戻したりする送信タイミング制御を行う。
【００５１】
以下、上述のように構成された無線通信ユニットの送信タイミング制御動作について説明する。
【００５２】
図５は、無線認証部３１０における送信タイミング制御動作を示すフローチャートである。
【００５３】
まず、ステップＳ１１で送受信部３２０の受信部３４４は携帯端末装置からの認証信号を受信し、ステップＳ１２で受信した認証信号の受信パワーを測定する。次いで、ステップＳ１３で受信した信号のレベル（強度）が基準値より大きいか否かを判別し、ステップＳ１４で受信レベルが基準値より大きい場合は、ステップＳ１４で送信タイミングを長く設定を行ってステップＳ１５に進む。ここで、受信した信号のレベルと基準値との差分を測定し、測定した差分に相当する送信タイミングの遅延を行うことも可能である。受信レベルが基準値以下の場合は、そのままステップＳ１５に進む。ステップＳ１５では、設定された送信タイミングにより認証信号を送信して本フローを終了する。
【００５４】
以上ように、携帯端末装置とキーユニット３００が認証状態にあり、両者の距離を近づけたとすると両者の受信信号のパワーレベルは大きくなる。
【００５５】
キーユニット３００の認証できる範囲のうち、携帯端末装置が近くにあった場合と範囲の境界付近にあった場合に第三者に持ち去られる場合を考えると、近くにあった方が当然認証範囲を出るまでに時間がかかる。このことから近くにあればあるほど認証のタイミングを長くすることができる。
【００５６】
以下に、認証のタイミングを制御する方法について述べる。
【００５７】
キーユニット３００は、携帯端末装置からの受信信号のパワーレベルを電力測定部３４３により検出する。この受信信号のパワーレベルにより、次の送信信号のタイミングを制御する。具体的には、受信信号のパワーレベルが大きければタイミング（周期）を長く、受信信号のパワーレベルが小さければタイミング（周期）を短くする。タイミングを短くする場合には、通常のタイミングに戻す場合を含む。
【００５８】
これにより、携帯端末装置とキーユニット３００が近い場合、送信タイミングが長くなり、消費電力を低減することができる。
【００５９】
次に、図６を参照して、携帯端末装置とキーユニット３００との受信信号パワーによる送信タイミング制御の具体的動作について説明する。
【００６０】
図６は、送信タイミングの設定動作の一例を示す図である。
【００６１】
図６は、無線通信可能エリア内にある携帯端末装置とキーユニット３００を示している。いま、Ａ地点にキーユニット３００があるとき、無線通信可能エリアは図の円内とする。
【００６２】
次の無線認証が行われる間に携帯端末装置が移動できる距離を矢印で表すと、Ｂ地点の携帯端末装置に関しては無線認証が途切れることはないが、Ｃ地点の無線携帯端末装置に関してはエリア外に移動してしまうおそれがある。つまり、キーユニット３００に接近していれば多少認証間隔が長くても問題ないため、距離により認証間隔を変え、消費電力の低減を図ることが可能であることがわかる。
【００６３】
このように、携帯端末装置とキーユニットが近くにある場合、キーユニットが携帯端末装置に送信する信号の送信タイミングを長くすることで消費電力を低減することができる。
【００６４】
以上のように、実施の形態２によれば、携帯端末装置から送信された信号のパワーレベルを検出し、受信する信号のパワーに基づいて、携帯端末装置に送信する信号の送信タイミングを制御するので、携帯端末装置とキーユニット３００とが近くで認証している場合など、受信レベルが大きいときは、認証の周期（間隔）を長くすることで認証信号の送受信を時間軸方向に伸ばすことができ、消費電力の低減を図ることができる。
【００６５】
また、携帯端末装置側の構成及び認証制御に変更はないため、携帯端末装置の構成を変更しない又は変更できない場合などに用いて好適である。
【００６６】
本実施の形態では、受信パワーレベルが所定値よりも大きいときのみ行うようにしているが、検出した受信パワーレベルに基づいて送信する信号のタイミングを設定するものであればどのようなタイミング設定態様でもよい。例えば、間欠動作のような周期性を持つタイミングでもよい。
【００６７】
また、セキュリティモードなど、セキュリティ重視の場合には、本送信制御動作を行わないことも可能である。
【００６８】
（実施の形態３）
実施の形態１に係る携帯端末装置と実施の形態２に係る無線通信ユニットとを組み合わせようとすると、実施の形態１で述べたように携帯端末装置は送信パワー制御を行っているため、受信信号のパワーレベルの検出だけでは、送信パワー制御により受信信号のパワーレベルが小さくなったのか距離が離れたことにより受信信号のパワーレベルが小さくなったのか判別できない。
【００６９】
そこで、実施の形態３は、携帯端末装置が送信パワー制御を行うときにはその情報を制御信号として認証信号に付加して送る構成を採ることで、実施の形態１と実施の形態２とを組み合わせることを可能にする。
【００７０】
図７は、本発明の実施の形態３に係る送信制御方法を用いる携帯端末装置及び無線通信ユニットの構成を示すブロック図である。図１及び図４と同一構成部分には同一符号を付して重複箇所の説明を省略する。
【００７１】
図７において、携帯電話機（携帯端末装置）４００は、無線認証部４１０の送受信部４２０の送信部４２１が制御信号生成部４２２を備えている。
【００７２】
制御信号生成部４２２は、送信パワー制御に関する制御信号を生成する。この制御信号は、例えば送信パワー制御実行の有無を示すチェックコードと送信パワー制御を行った場合の出力パワー量（詳細には、送信パワーの低減量[ｄＢ]）である。なお、上記チェックコードは省略可能である。生成された送信パワー制御に関する制御信号は、認証信号に付加されてキーユニット３００に送信される。
【００７３】
キーユニット３００の構成は、実施の形態２（図４）と同様であるが、制御部３５０は認証信号に付加された制御信号を検出して送信タイミング制御を行う点が異なる。
【００７４】
図８は、携帯端末装置４００とキーユニット３００の無線認証の動作を示す制御シーケンス図である。
【００７５】
図８に示すように、携帯端末装置４００とキーユニット３００のＩＤ照合確認後、乱数を暗号化したデータ（認証信号１）をキーユニット３００から送り、携帯端末装置４００からはそれを複合化したデータ（認証信号１’）及び送信パワー制御に関する制御信号を送る。認証信号１’に付加される上記制御信号は、送信パワー制御を行った場合の出力パワー量である。キーユニット３００は、受信した認証信号１’により認証を行うとともに、認証信号１’に付加された制御信号を検出して送信タイミング制御を行う。キーユニット３００側で送信タイミング制御を実行することで、次に携帯端末装置４００に送る認証信号２は時間的に遅延した送信周期で送信される。図１３に示す従来の制御シーケンスでは、キーユニットから無線端末装置に認証信号１，２，…が定期的に送信されていた。これに対して、実施の形態２，３では、キーユニット３００が受信する信号のパワーにより認証信号を送信するタイミングを制御しているので、送受信動作に必要な電力をキーユニット３００と携帯端末装置４００の双方で削減することができる。
【００７６】
図９は、無線認証部４１０における送信パワー制御動作を示すフローチャートであり、図２と同じ処理を行うステップには同一ステップ番号を付している。
【００７７】
まず、ステップＳ１で送受信部４２０の受信部１３４はキーユニット３００からの認証信号を受信し、ステップＳ２で受信した認証信号の受信パワーを測定する。次いで、ステップＳ３で受信した信号のレベル（強度）が基準値より大きいか否かを判別し、ステップＳ３で受信レベルが基準値より大きい場合は、ステップＳ４で受信した信号のレベルと基準値との差分を測定する。次いで、ステップＳ５で測定した差分に相当する出力パワーを下げる設定を行い、ステップＳ２１で制御信号生成部４２２によりパワーダウン量を有する制御信号を生成してステップＳ２２に進む。ステップＳ３で受信レベルが基準値以下の場合は、そのままステップＳ２２に進む。ステップＳ２２では、設定された出力パワーにより認証信号及び制御信号を送信して本フローを終了する。例えば、図８に示すように、十分な受信パワーが測定されたときは、出力パワーを下げて認証信号及び制御信号が送信される。
【００７８】
図１０は、送信タイミング制御動作を示すフローチャートであり、キーユニット３００の制御部３５０により実行される。図５と同じ処理を行うステップには同一ステップ番号を付している。
【００７９】
まず、ステップＳ１１で送受信部３２０の受信部３４４は携帯端末装置からの認証信号を受信し、ステップＳ１２で受信した認証信号の受信パワーを測定する。次いで、ステップＳ３１で認証信号に制御信号が付加されているか否かを判別し、認証信号に制御信号が付加されているときはステップＳ３２で制御信号に付加されたパワーダウン量を基に受信パワーを補正して、キーユニット３００が本来受信すべき信号パワーを算出する。
【００８０】
次いで、ステップＳ１３で補正後の受信信号のレベル（強度）が基準値より大きいか否かを判別し、ステップＳ１４で受信レベルが基準値より大きい場合は、ステップＳ１４で送信タイミングを長く設定を行ってステップＳ１５に進む。ここで、受信した信号のレベルと基準値との差分を測定し、測定した差分に相当する送信タイミングの遅延を行うことも可能である。受信レベルが基準値以下の場合は、そのままステップＳ１５に進む。ステップＳ１５では、設定された送信タイミングにより認証信号を送信して本フローを終了する。
【００８１】
このように、携帯端末装置４００が送信パワー制御を行うときにはその情報を制御信号として認証信号に付加してキーユニット３００に送信し、キーユニット３００の制御部３５０は、認証信号に付加された制御信号を検出して送信タイミング制御を行うので、実施の形態１と実施の形態２とを組み合わせることができ、携帯端末装置４００とキーユニット３００との双方にとってより一層の消費電力の低減が可能になる。
【００８２】
また、本実施の形態では、認証信号に付加する制御信号として出力パワー制御の有無及びその出力パワー量を伝える信号として説明したが、キーユニットを制御する制御信号であれば、どのような情報を伝えるものでもよい。例えば、実施の形態２ではキーユニット側で自立的にタイミング制御を行っているが、これに代えて、携帯端末装置からキーユニットに認証周期の変更を指示する信号を、制御信号として送信することも可能である。
【００８３】
以上の説明は本発明の好適な実施の形態の例証であり、本発明の範囲はこれに限定されることはない。例えば、携帯端末装置として携帯電話機に適用した例について説明しているが、携帯電話機に限らずＰＤＡ等の携帯情報端末、パーソナルコンピュータ又はその融合された装置、さらにはＭＰ３プレーヤー、ＨＤＤプレーヤーなどの携帯機器に適用可能である。
【００８４】
また、図３及び図６の送信制御動作例は一例であり、どのような設定例でも構わない。
【００８５】
また、本実施の形態では携帯端末装置、無線通信ユニット及び送信制御方法という名称を用いたが、これは説明の便宜上であり、携帯電話機、機器の使用制限装置、無線認証方法等であってもよいことは勿論である。
【００８６】
さらに、上記携帯端末装置及び無線通信ユニットを構成する各回路部、例えば無線認証部等の種類、数及び接続方法などは前述した実施の形態に限られない。
【００８７】
また、以上説明した携帯端末装置及び認証制御方法は、これら携帯端末装置及び認証制御方法を機能させるためのプログラムでも実現される。このプログラムはコンピュータで読み取り可能な記録媒体に格納されている。
【産業上の利用可能性】
【００８８】
本発明に係る携帯端末装置、無線通信ユニット及び送信制御方法は、無線通信ユニットとの間で無線信号を送受信して無線認証を行う携帯電話機などの携帯端末装置、認証制御システムの用途に有用である。また、送信制御プログラムとして携帯電話機などの携帯機器に組み込むことも可能である。
【図面の簡単な説明】
【００８９】
【図１】本発明の実施の形態１に係る携帯端末装置の構成を示すブロック図
【図２】上記実施の形態１に係る携帯端末装置の送信パワー制御動作を示すフロー図
【図３】上記実施の形態１に係る携帯端末装置と無線通信ユニットとの距離における送信パワーレベルの設定方法を説明する図
【図４】本発明の実施の形態２に係る無線通信ユニットの構成を示すブロック図
【図５】上記実施の形態２に係る無線通信ユニットの送信タイミング制御動作を示すフロー図
【図６】上記実施の形態２に係る無線通信ユニットの送信タイミングの設定動作の一例を示す図
【図７】本発明の実施の形態３に係る送信制御方法を用いる携帯端末装置及び無線通信ユニットの構成を示すブロック図
【図８】上記実施の形態３に係る携帯端末装置と無線通信ユニットの無線認証の動作を示す制御シーケンス図
【図９】上記実施の形態３に係る携帯端末装置の送信パワー制御動作を示すフロー図
【図１０】上記実施の形態３に係る無線通信ユニットの送信タイミング制御動作を示すフロー図
【図１１】無線認証通信を使用して携帯端末装置に使用制限をかける使用制限方法を説明する図
【図１２】図１１の携帯端末装置の使用制限方法を実現するブロック図
【図１３】無線認証の動作を示す制御シーケンス図
【図１４】携帯端末装置と無線通信ユニットの組み合わせを示す図
【符号の説明】
【００９０】
１００，４００  携帯電話機（携帯端末装置）
１１０，２１２，３１０，４１０  無線認証部
１１１，１４１，２１１  アンテナ
１１２，３２０，４２０  送受信部
１１３，２２２  認証用ＩＤ記憶部
１１４  無線認証制御部
１２４，３２３，４２１  送信部
１３４  受信部
１２１，３２１，３４４  変調部
１２２，１３２，３２２，３４２  増幅部
１２３  電力制御部
１３１，３４１  復調部
１３３，３４３  電力測定部
１４２  無線通信・データ処理部
２１３  警報通知部
２１４  電池
２２３  無線認証ユニット制御部
３５０  制御部
３５１  送信タイミング制御部
４２２  制御信号生成部
【図１】
2007019766.tif 000003
【図２】
2007019766.tif 000004
【図３】
2007019766.tif 000005
【図４】
2007019766.tif 000006
【図５】
2007019766.tif 000007
【図６】
2007019766.tif 000008
【図７】
2007019766.tif 000009
【図８】
2007019766.tif 000010
【図９】
2007019766.tif 000011
【図１０】
2007019766.tif 000012
【図１１】
2007019766.tif 000013
【図１２】
2007019766.tif 000014
【図１３】
2007019766.tif 000015
【図１４】
2007019766.tif 000016